(57)【要約】【課題】印版交換を伴うオーダーチェンジに際して製函機等の停止時間を短縮してその稼働効率を向上させることができるようにする。【解決手段】段ボールシートに加工を行なう加工部１〜６を有し、加工部は、複数の印刷ユニットを選択的に使用してコンベアで搬送される段ボールシートに印刷を行なう印刷部２を含んでいる段ボールシート加工装置であって、複数の印刷ユニットにそれぞれ設けられ、印版交換の実施後にオペレータがオン操作する印版交換実施済みスイッチ８６ａ〜８６ｄと、印版交換実施済みスイッチ８６ａ〜８６ｄのオン操作を受けて該当する印刷ユニットが印版交換実施済みであることを表示する表示手段８７ａ〜８７ｄ，１２２，１３１と、を備えている。【選択図】図１
2015217535.tif 000002
【特許請求の範囲】
【請求項１】
段ボールシートに加工を行なう加工部を有し、前記加工部は、複数の印刷ユニットを選択的に使用してコンベアで搬送される段ボールシートに印刷を行なう印刷部を含んでいる段ボールシート加工装置であって、
前記複数の印刷ユニットにそれぞれ設けられ、印版交換の実施後にオペレータがオン操作する印版交換実施済みスイッチと、
前記印版交換実施済みスイッチのオン操作を受けて該当する印刷ユニットが印版交換実施済みであることを表示する表示手段と、を備えている
段ボールシート加工装置。
【請求項２】
オーダーチェンジの際に、次オーダーに対応するように前記加工部をセットするオートセット機構と、
オーダーチェンジの際に、予め入力されたオーダー情報に基づいて前記オートセット機構を作動させ、前記オートセット機構によるセットの完了を判定すると共に、前記複数の印刷ユニットのうち次オーダーの印版交換対象の印刷ユニットの前記印版交換実施済みスイッチがオン操作されたことを判定すると、次オーダーのために前記段ボールシート加工装置を始動する制御装置と、を備えている
請求項１記載の段ボールシート加工装置。
【請求項３】
前記複数の印刷ユニットのうち使用しない遊休印刷ユニットは、前記版胴が搬送される段ボールシートから離隔した状態とされ、印版交換が可能とされる
請求項１又は２記載の段ボールシート加工装置。
【請求項４】
前記複数の印刷ユニットには、印版交換時に使用する操作スイッチ類が併設され、前記印版交換実施済みスイッチは、前記操作スイッチ類の近傍に配置されている
請求項１〜３の何れか１項に記載の段ボールシート加工装置。
【請求項５】
前記複数の印刷ユニットには、印版交換時に使用する操作スイッチとして、前記版胴を回動させる版胴操作スイッチと、前記版胴に印版を締付する締付スイッチとが装備され、
前記印版交換実施済みスイッチには前記締付スイッチが兼用され、前記締付スイッチの締付操作の終了操作を前記印版交換実施済みスイッチのオン操作とする
請求項１〜３の何れか１項に記載の段ボールシート加工装置。
【請求項６】
前記表示手段は、表示灯である
請求項１〜５の何れか１項に記載の段ボールシート加工装置。
【請求項７】
前記段ボールシート加工装置全体の作動を監視するためのモニターを備え、
前記表示手段は、前記モニターに表示される画像表示である
請求項１〜６の何れか１項に記載の段ボールシート加工装置。
【請求項８】
前記段ボールシート加工装置全体の作動を監視するためのモニターを備え、
前記制御装置は、予め入力されたオーダーに対してオーダー割り込みがあったら、前記モニターにその旨を表示する
請求項２、又は請求項２を引用する請求項３〜７の何れか１項に記載の段ボールシート加工装置。
【請求項９】
前記コンベアにより搬送される段ボールシートを吸引保持するサクション装置が付設されている
請求項１〜８の何れか１項に記載の段ボールシート加工装置。
【請求項１０】
前記段ボールシート加工装置は、製函機である
請求項１〜９の何れか１項に記載の段ボールシート加工装置。
【請求項１１】
段ボールシートに加工を行なう加工部を備え、前記加工部は、複数の印刷ユニットを選択的に使用してコンベアで搬送される段ボールシートに印刷を行なう印刷部を含み、オーダーチェンジの際に前記加工部を次オーダーに対応するようにセットするオートセット機構と、前記オートセット機構を含んだ前記加工部を制御する制御装置とを備えた段ボールシート加工装置におけるセット方法であって、
現オーダーの加工において、
前記複数の印刷ユニットのうち使用しない遊休印刷ユニットにおける印版交換と、印版交換後に、前記複数の印刷ユニットにそれぞれ設けられた印版交換実施済みスイッチをオン操作するスイッチ操作とを、実施する事前準備ステップと、
その後、予め入力されたオーダー情報に基づく前記オートセット機構によるセット処理と、前記セットが完了し且つ次オーダーの印版交換対象の印刷ユニットの前記印版交換実施済みスイッチがオン操作されたことを判定すると行なう、次オーダーの加工のための前記段ボールシート加工装置の始動処理とを、何れも前記制御装置により実施するオーダーチェンジ実施ステップとを有する
段ボールシート加工装置のセット方法。
【請求項１２】
前記事前準備ステップでは、現オーダーに続く次オーダーのための印版交換及びスイッチ操作に加えて、次オーダー以降のオーダーのための印版交換及びスイッチ操作を実施する
請求項１１記載の段ボールシート加工装置のセット方法。
【請求項１３】
前記印版交換実施済みスイッチのオン操作を受けると、該当する印刷ユニットが印版交換実施済みであることを表示手段に表示する
請求項１１又は１２記載の段ボールシート加工装置のセット方法。
【請求項１４】
前記印版交換実施済みスイッチは、印版交換時に使用する操作スイッチ類の近傍に配置され、
前記スイッチ操作は、前記印版交換の作業位置にて行なう
請求項１１〜１３の何れか１項に記載の段ボールシート加工装置のセット方法。
【請求項１５】
前記オーダーチェンジ実施ステップでは、
前記複数の印刷ユニットのそれぞれの前記版胴を段ボールシートから離隔させる胴抜き処理と、
前記複数の印刷ユニットのうち次オーダーで使用する印刷ユニットのみ、前記版胴を段ボールシートに接触させる胴入れ処理とを、
前記制御装置により実施する
請求項１１〜１４の何れか１項に記載の段ボールシート加工装置のセット方法。
【請求項１６】
前記段ボールシート加工装置は、製函機である
請求項１１〜１５の何れか１項に記載の段ボールシート加工装置のセット方法。
【発明の詳細な説明】
【技術分野】
【０００１】
本発明は、段ボールシートに印刷を含んだ加工を行なう製函機等の段ボールシート加工装置及びそのセット方法に関するものである。
【背景技術】
【０００２】
段ボールシートを加工する装置の代表的なものに製函機がある。製函機は、上流側から、給紙部，印刷部，排紙部，ダイカット部，フォルダグルア部，カウンタエジェクタ部といった加工部が順に設けられている。給紙部で板状の段ボールシートを印刷部に供給し、印刷部で段ボールシートに印刷をし、排紙部で印刷された段ボールシートにスロッタによる溝切りやスコアラによる罫線入れを行ない、ダイカット部で打ち抜きによって段ボールシートから不要部分を断裁し除去する。さらに、フォルダグルア部で、段ボールシートの左右両端部が裏側で重合するように折り曲げ加工して、左右両端部の重合個所を糊によって接着して製函用シート材（段ボール箱用ブランク）を形成し、カウンタエジェクタ部で製函用シート材を計数しながら積載する。
【０００３】
こうした製函機では、製函用シート材のオーダーチェンジの際に、印刷ユニットのインキ供給系統のインキ洗浄や、印刷ユニットの版胴に装着された印版を交換する作業等のセット処理が必要になる。このオーダーチェンジに要する多くの作業は自動化され、いわゆるオートセット処理によって各加工部が新オーダーに応じた状態に自動で設定されるが、印版交換の作業については別途人手を要している。
【０００４】
なお、印版交換の作業も、印版交換を補助する装置等の開発によりオペレータの作業負担は軽減される傾向にある。例えば特許文献１には、製函機ではなく枚葉印刷機に関するものであるが、印版交換を補助する装置が開示されている。しかし、これらの補助装置を用いてもオペレータの手作業が必要である。また、印版交換の際には、印刷ユニットの版胴をこれと対向して備えられた圧胴から離隔させる胴抜きを予め行なう必要がある。
【０００５】
したがって、オーダーチェンジの際には、製函機を停止させ、例えば版胴を含む昇降ユニットを上昇させることで版胴を圧胴から離隔させる胴抜きを行ない、印版交換の作業を行なう。印版交換が完了したら、版胴が段ボールシートを介して圧接するように例えば昇降ユニットを下降させることで版胴を圧胴に接近させる胴入れを行なう。そして、その他の各加工部のオートセットも完了すれば製函機を始動させることができる。
【０００６】
なお、版胴を圧胴に接近させる昇降ユニットの下降は、版胴セットボタンの操作をトリガーに実施される。なお、版胴セットボタンは各印刷ユニットの操作パネルに設けられており、オペレータによって手動で操作される。このように、オペレータの手動操作をトリガーに昇降ユニットを下降させて印刷部のセットを完了するのは、印版交換を実施したか否かは自動で判断することが難しいためである。
【０００７】
このような印刷部では、複数（例えば４台）の印刷ユニットが装備され、これら複数の印刷ユニットを、印刷に必要なインキ色の数に応じて選択的に使用して印刷をする。また、印刷ユニットには、段ボールシートへの印刷に通常用いるフレキソ印刷機が適用されている。このフレキソ印刷機は、プロセスインキを用いるカラー印刷とは異なり、そのオーダーに応じた専用色（いわゆる特色）のインキが使用される。多くのオーダーは単色又は２色であり、３色や４色のオーダーは比較的少ない。
【０００８】
したがって、例えば、印刷に必要なインキ色が２色であれば２台の印刷ユニットを使用する。現オーダーが２色であれば、２台の印刷ユニットが使用されるが、残り２台の印刷ユニットは遊休状態にあり、次のオーダーに対して、現オーダーで使用している印刷ユニットからこの遊休状態の印刷ユニット（遊休印刷ユニット）に切り替えて使用することや、現オーダーで使用している印刷ユニットとこの遊休印刷ユニットとを併せて使用することができる。
【０００９】
ただし、印版交換の際には、印刷ユニットの版胴を、これと対向して備えられた圧胴から離隔させなくてはならない。しかし、版胴及び圧胴によって段ボールシートを搬送する場合は、遊休印刷ユニットでも版胴及び圧胴を圧接させなくてはならないため、遊休状態を利用して印版交換の作業を行なうことはできず、製函機を停止させて印版交換の作業を行なわなければならない。一方、例えば特許文献２に記載されているようにコンベア及びサクション装置等を用いて段ボールシートを搬送する場合は、通常、遊休印刷ユニットの版胴及び圧胴を用いなくてよいため、遊休印刷ユニットの版胴を圧胴から離隔させて、印版交換の作業を行なうことができる。
【００１０】
このような遊休印刷ユニットの場合、現オーダーの生産のために製函機が稼働しているときに、これと並行して次オーダーのための印版交換の作業を行なうことができるため、予めの印版交換の作業を行なっておけば、オーダーチェンジの際には、遊休印刷ユニットの印版交換の作業が不要になり、この分だけオーダーチェンジのための製函機の停止時間を短縮させることが可能になり、製函機の稼働率を向上させることができる。
【先行技術文献】
【特許文献】
【００１１】
【特許文献１】実開昭６１−７７２４７号公報
【特許文献２】特開２０００−６３６２号公報
【発明の概要】
【発明が解決しようとする課題】
【００１２】
ところで、遊休印刷ユニットで予め印版交換の作業を行なっておく場合も、胴入れのために版胴を圧胴に接近させる昇降ユニットの下降は、オペレータの版胴セットボタンの操作をトリガーに実施され、この昇降ユニットの下降によって印刷部のセットが完了する。これにより、製函機を始動させ次オーダーの生産を開始することができる。しかし、印版交換もオートセットもいずれも完了したとしても、オペレータの版胴セットボタンの操作がなければ次オーダーの生産を開始することはできない。
【００１３】
遊休印刷ユニットで予め印版交換の作業を行なっておく場合、印版交換の完了から現オーダーの終了及びオーダーチェンジに係るオートセットの完了までに時間があり、オペレータが印版交換を完了したことを明確に記憶していないために、再び確認に行った後に版胴セットボタンを操作する場合がある。この場合、版胴セットボタンの操作タイミングの遅れによって、製函機の停止時間が長くなり稼働効率が低下してしまう。
【００１４】
現オーダーで使用中の印刷ユニットの印版交換の場合にも、印版交換が完了したら、印刷ユニットの操作パネルで版胴セットボタンを操作するが、この版胴セットボタンの操作を忘れてしまうと、操作パネルから一旦離れた後に戻って操作することになり、操作遅れが生じて、その分だけ製函機の稼働効率が低下してしまう。
【００１５】
本発明は、このような課題に鑑み創案されたもので、印版交換を伴うオーダーチェンジに際して製函機の停止時間を短縮してその稼働効率を向上させることができるようにした段ボールシート加工装置及びそのセット方法を提供することを目的とする。
【課題を解決するための手段】
【００１６】
（１）本発明にかかる段ボールシート加工装置は、段ボールシートに加工を行なう加工部を有し、前記加工部は、複数の印刷ユニットを選択的に使用してコンベアで搬送される段ボールシートに印刷を行なう印刷部を含んでいる段ボールシート加工装置であって、前記複数の印刷ユニットにそれぞれ設けられ、印版交換（即ち、オーダーチェンジに際して版胴に装着される印版を以降のオーダーのものに交換する印版交換）の実施後にオペレータがオン操作する印版交換実施済みスイッチと、前記印版交換実施済みスイッチのオン操作を受けて該当する印刷ユニットが印版交換実施済みであることを表示する表示手段と、を備えている。
【００１７】
（２）オーダーチェンジの際に、次オーダーに対応するように前記加工部をセットするオートセット機構と、オーダーチェンジの際に、予め入力されたオーダー情報に基づいて前記オートセット機構を作動させ、前記オートセット機構によるセットの完了を判定すると共に、前記複数の印刷ユニットのうち次オーダーの印版交換対象の印刷ユニットの前記印版交換実施済みスイッチがオン操作されたことを判定すると、次オーダーのために前記段ボールシート加工装置を始動する制御装置と、を備えていることが好ましい。
【００１８】
（３）前記複数の印刷ユニットのうち使用しない遊休印刷ユニットは、前記版胴が搬送される段ボールシートから離隔した状態とされ、印版交換が可能とされることが好ましい。
（４）前記複数の印刷ユニットには、印版交換時に使用する操作スイッチ類が併設され、前記印版交換実施済みスイッチは、前記操作スイッチ類の近傍に配置されていることが好ましい。
【００１９】
（５）前記複数の印刷ユニットには、印版交換時に使用する操作スイッチとして、前記版胴を回動させる版胴操作スイッチと、前記版胴に印版を締付する締付スイッチとが装備され、前記印版交換実施済みスイッチには前記締付スイッチが兼用され、前記締付スイッチの締付操作の終了操作を前記印版交換実施済みスイッチのオン操作とすることが好ましい。
【００２０】
（６）前記表示手段は、表示灯であることが好ましい。
（７）前記段ボールシート加工装置全体の作動を監視するためのモニターを備え、前記表示手段は、前記モニターに表示される画像表示であることが好ましい。
（８）前記段ボールシート加工装置全体の作動を監視するためのモニターを備え、前記制御装置は、予め入力された前記オーダーに対してオーダー割り込みがあったら、前記モニターにその旨を表示することが好ましい。
【００２１】
（９）前記コンベアにより搬送される段ボールシートを吸引保持するサクション装置が付設されていることが好ましい。
（１０）前記段ボールシート加工装置は、製函機であることが好ましい。
【００２２】
（１１）本発明にかかる段ボールシート加工装置のセット方法は、段ボールシートに加工を行なう加工部を備え、前記加工部は、複数の印刷ユニットを選択的に使用してコンベアで搬送される段ボールシートに印刷を行なう印刷部を含み、オーダーチェンジの際に前記加工部を次オーダーに対応するようにセットするオートセット機構と、前記オートセット機構を含んだ前記加工部を制御する制御装置とを備えた段ボールシート加工装置のセット方法であって、現オーダーの加工において、前記複数の印刷ユニットのうち使用しない遊休印刷ユニットにおける印版交換と、印版交換後に、前記複数の印刷ユニットにそれぞれ設けられた印版交換実施済みスイッチをオン操作するスイッチ操作とを実施する事前準備ステップと、その後、予め入力されたオーダー情報に基づく前記オートセット機構によるセット処理（オートセット）と、前記セット処理が完了し且つ次オーダーの印版交換対象の印刷ユニットの前記印版交換実施済みスイッチがオン操作されたことを判定すると行なう、次オーダーの加工のための前記段ボールシート加工装置の始動処理とを、何れも前記制御装置により実施するオーダーチェンジ実施ステップとを有する。
【００２３】
（１２）前記事前準備ステップにおける印版交換は、現オーダーに続く次オーダーのための印版交換及びスイッチ操作に加えて、次オーダー以降のオーダーのための印版交換及びスイッチ操作を実施することも好ましい。
【００２４】
（１３）前記印版交換実施済みスイッチのオン操作を受けると、該当する印刷ユニットが印版交換実施済みであることを表示手段に表示することが好ましい。
（１４）前記印版交換実施済みスイッチは、印版交換時に使用する操作スイッチ類の近傍に配置され、前記スイッチ操作は、前記印版交換の作業位置にて行なうことが好ましい。
【００２５】
（１５）前記オーダーチェンジ実施ステップでは、前記複数の印刷ユニットのそれぞれの前記版胴を段ボールシートから離隔させる胴抜き処理と、前記複数の印刷ユニットのうち次オーダーで使用する印刷ユニットのみ、前記版胴を段ボールシートに接触させる胴入れ処理とを、前記制御装置により実施するが好ましい。
（１６）前記段ボールシート加工装置は、製函機であることが好ましい。
【発明の効果】
【００２６】
本発明によれば、オペレータがある印刷ユニットを印版交換したら、その印刷ユニットの印版交換実施済みスイッチをオン操作することで、このオン操作を受けて何れの印刷ユニットが印版交換実施済みであるかが認識される。該当する印刷ユニットが印版交換実施済みであることが表示手段に表示されると、該当する印刷ユニットまで行って目視によって確認することなく印版交換実施済みであることを認識でき、オーダーチェンジに際し印版交換を効率よく正確に行なうことができる。
【００２７】
また、オーダーチェンジの際に、制御装置が、予め入力されたオーダー情報に基づいてオートセット機構を作動させ、このオートセット機構によるセットの完了を判定すると共に、次オーダーの印版交換対象の印刷ユニットの印版交換実施済みスイッチがオン操作されたことを判定すると、次オーダーのために段ボールシート加工装置を始動させるようにすれば、段ボールシート加工装置を速やかに始動させることができる。
【００２８】
例えば、遊休印刷ユニットに予め次オーダーの印版交換をしておけば、段ボールシート加工装置を速やかに始動させることができる。また、印刷ユニット毎に印版交換実施済みスイッチを設ければ、例えば、印版交換時に使用する操作スイッチ類の近傍に印版交換実施済みスイッチを配置することもできる。これにより、印版交換を完了したら速やかに印版交換実施済みスイッチを操作することができる。このため、前オーダーで運転していた印刷ユニットの場合にも、印版交換の完了直後に印版交換実施済みスイッチを操作すれば、印版交換にかかる段ボールシート加工装置の始動条件が成立し、段ボールシート加工装置を速やかに始動させることができる。
【図面の簡単な説明】
【００２９】
【図１】本発明の一実施形態にかかる製函機の構成を示すブロック図である。
【図２】本発明の一実施形態にかかる製函機を側面視で示す構成図である。
【図３】本発明の一実施形態にかかる製函機の印刷部の一部を側面視で示す構成図である。
【図４】本発明の一実施形態にかかる製函機の印刷部の一部を示す斜視図である。
【図５】本発明の一実施形態にかかる製函機を給紙側から見て示す斜視図である。
【図６】本発明の一実施形態にかかる印版交換実施済みの表示例であるモニターの表示画像を示す図である。
【図７】本発明の一実施形態にかかる印版交換手順を説明するフローチャートである。
【図８】本発明の一実施形態にかかるセット方法（遊休印刷ユニット対象）を説明するフローチャートである。
【図９】本発明の一実施形態にかかるセット方法（運転印刷ユニット対象）を説明するフローチャートである。
【図１０】本発明の一実施形態にかかるセット方法（遊休印刷ユニット対象）を説明するフローチャートである。
【発明を実施するための形態】
【００３０】
以下、図面により、本発明の実施の形態を説明する。
図１〜図１０は本発明の一実施形態を説明するもので、これらを用いて本実施形態にかかる段ボールシート加工装置としての製函機及びこの製函機に装備される印刷部並びにオーダーチェンジの際のセット方法について説明する。
【００３１】
〔１．装置構成〕
〔１−１．製函機〕
まず、本実施形態にかかる製函機について図２を参照して説明する。
図２では、段ボールシートが製函用シート材に加工される工程を装置構成の上方に装置構成とは分けて示している。図２に示すように、この製函機は、上流側から、給紙部１，印刷部２，排紙部３，ダイカット部４，フォルダグルア部５，カウンタエジェクタ部６の各加工部が順に設けられている。
【００３２】
給紙部１では、板状の段ボールシート１０ａが多数積載された状態で搬入され、この段ボールシート１０ａを１枚ずつ印刷部２に供給する。
印刷部２は、所定の色数（ここでは、４色）の印刷ユニット２０ａ〜２０ｄ（各印刷ユニットを区別しない場合には、符号２０で示す）からなり、印刷部２では、搬送コンベア７０によって１枚ずつ搬送される段ボールシート１０ａに、各色のインキを順次印刷する。
【００３３】
排紙部３では、印刷された段ボールシートにスロッタによる溝切りやスコアラによる罫線入れを行ない、ダイカット部４では、手穴，空気穴等の孔開け及び打ち抜きによって段ボールシート１０ａから不要部分を断裁し除去する。
なお、ダイカット部４では、特殊な形状の箱を作成するための溝切り，罫線入れを行なうこともある。したがって、排紙部３及びダイカット部４のどちらも溝切り，罫線入れを行なう機能を有している。
【００３４】
そして、フォルダグルア部５では、溝切りや罫線入れをされた段ボールシート１０ａの左右方向一端の糊代に糊付けして、段ボールシート１０ａの左右両端部が裏側（下方）で重合するように、折り曲げ加工を行なって、折り曲げられた段ボールシート１０ａの左右両端部を糊によって接着して製函用シート材（段ボール箱用ブランク）１０とする。
カウンタエジェクタ部６では、フォルダグルア部５で加工された製函用シート材１０を計数しながら積載する。そして、所定枚数の製函用シート材１０が積み上げられたら、このシート材群１０Ｇを１単位として出荷する。
【００３５】
なお、排紙部３を有さず、ダイカット部４において、手穴，空気穴等の孔開け及び打ち抜きを行なうと共に、上記の特殊な形状の箱を作成するための溝切り，罫線入れを行なって、印刷及び溝切りや罫線入れをされた状態の段ボールシート１０ａを製品の製造ラインに導入して、段ボールシート１０ａの上に物品を集積して載せ、これを包み込むようにしながら箱を成形して包装する、ラップアラウンド・ケーサーとも呼ばれる機械もある。
【００３６】
このような機械に提供する製函用シート材は、ダイカット部４で処理した段階の印刷及び溝切りや罫線入れをされた段ボールシート１０ａであり、この場合、製函機からフォルダグルア部５が省略され、ダイカット部４で処理した段ボールシート１０ａをカウンタエジェクタ部６に送って処理して出荷するものとなる。本発明はこうした機械を含んだ段ボールシート加工装置に広く適用することができる。
【００３７】
〔１−２．搬送コンベア及び印刷ユニット〕
次に、製函機の印刷部２に適用される搬送コンベア７０及び印刷ユニット２０ａ〜２０ｄについて説明する。
図３に示すように、印刷部２には、搬送ベルト７１を有する搬送コンベア７０と、搬送コンベア７０によって１枚ずつ搬送される段ボールシート１０ａに、各色のインキを順次印刷する印刷ユニット２０ａ〜２０ｄとが備えられる。
【００３８】
搬送コンベア７０は、搬送ベルト７１と、この搬送ベルト７１を案内、又は案内及び駆動するガイドロール２５ａ〜２５ｄと、段ボールシート１０ａの搬送経路に対して搬送ベルト７１を挟んで配設されたサクションボックス２６とをそなえている。
搬送ベルト７１は、ゴムシートに布シートを積層させて柔軟で且つ延びのない材料特性を有すると共に多数の細孔が形成され表裏間で通気性を有する無端状のベルトである。この搬送ベルト７１は、ガイドロール２５ａ〜２５ｄで案内された軌道上を循環しながら、サクションボックス２６の吸引により搬送ベルト７１に保持された段ボールシート１０ａを搬送する。
【００３９】
印刷ユニット２０ａ〜２０ｄには、フレキソ印刷機が用いられ、チャンバフレーム，シールブレード，ドクタブレードからなるインキチャンバ２１と、シールブレード，ドクタブレードと摺接しながら回転しインキチャンバ２１内のフレキソインキを外周面の溝内に供給されるアニロックスロール２２と、外周にアニロックスロール２２からフレキソインキを転写される印版（図示略）を装着された版胴（印刷シリンダ）２３と、段ボールシート１０ａを版胴２３と圧接する圧胴２４とを備えている。フレキソ印刷機の場合、使用するインキは全てが特色であり、オフセット印刷機のように、プロセスカラーのインキを用いて各インキの濃度割合で種々の色を再現するものとは異なっている。
【００４０】
また、インキチャンバ２１やアニロックスロール２２や版胴２３を支持するフレームは、昇降可能な昇降ユニット２０Ｍとして構成され、印刷に使用する印刷ユニットは、昇降ユニット２０Ｍを下降させて版胴２３が段ボールシート１０ａを挟んで圧胴２４に圧接するよう配置する胴入れ処理を行ない、これにより発生するニップ圧によって版胴２３から段ボールシート１０ａの印刷面にインキが転写される。一方、印刷に使用しない印刷ユニットは、昇降ユニット２０Ｍを上昇させて版胴２３を搬送される段ボールシート１０ａから離隔するように配置する胴抜きを行なう。なお、図２，図３では、印刷ユニット２０ａ〜２０ｄのうち、印刷ユニット２０ｂ，２０ｃについては印刷に使用するため胴入れ処理をしており、印刷ユニット２０ａ，２０ｄについては印刷に使用しないため胴抜き処理をしている。
【００４１】
〔１−３．オーダーチェンジにかかる構成〕
このような製函機において、生産する製函用シート材のオーダーチェンジの際には、各加工部１〜６の設定変更が必要になる。つまり、給紙部１や印刷部２や排紙部３やダイカット部４やフォルダグルア部５やカウンタエジェクタ部６では、次オーダーの段ボールシート１０ａのサイズ等に合わせた設定変更が行われる。また、印刷部２では使用していた印刷ユニット２０ｂ，２０ｃのインキ供給系統のインキ洗浄やその版胴２１に装着された印版を交換する等のセット処理が加わる。
【００４２】
各加工部の設定変更やインキ洗浄等、オーダーチェンジに要する多くの作業は自動化されており、図１に示すように、各加工部１〜６には自動でのセット処理、いわゆるオートセット処理を実施するオートセット機構１１１〜１１６が装備されている。各オートセット機構１１１〜１１６は、それぞれの設定変更にかかるアクチュエータを備え、各アクチュエータがコントローラ（制御装置）１００によって制御され、各加工部の設定変更を実施する。コントローラ１００は、図示しないが、ＣＰＵ（Central Processing Unit）, ＲＯＭ（Read Only Memory）, ＲＡＭ（Random Access Memory）などを有するマイクロプロセッサ或いはかかるマイクロプロセッサを備えたコンピュータにより構成されている。
【００４３】
なお、生産管理装置２００には各オーダー情報(オーダーチェンジ情報を含む）が予め入力されており、コントローラ１００は、この生産管理装置２００からオーダー情報を入手し、次オーダーの各オーダーデータ及び製函機の作動状況に基づいて各オートセット機構１１１〜１１６に所要のタイミングで作動信号を出力する。各オートセット機構１１１〜１１６はこれに応じて作動し、コントローラ１００はこれらの作動信号を監視して作動完了、即ち、オートセットの完了を判定する。
【００４４】
オーダーチェンジの際には、コントローラ１００は、製函機を停止させるが、印刷部２については、全ての印刷ユニット２０ａ〜２０ｄを、昇降ユニット２０Ｍを上昇させて胴抜き状態とする。ただし、使用していない印刷ユニット２０ａ，２０ｄ（図２，図３参照）は胴抜き状態なので、製函機停止時には、使用していた印刷ユニット２０ｂ，２０ｃ（図２，図３参照）の昇降ユニット２０Ｍのみを上昇させる。
【００４５】
各加工部１〜６の多くは、オートセット処理によって新オーダーに応じた状態に設定されるが、印版交換の作業については別途人手を要する。この印版交換の作業も、印版交換を補助する装置等の開発によりオペレータの作業負担は軽減される傾向にあるが、依然としてオペレータの手作業が必要である。
【００４６】
したがって、オーダーチェンジの際には、コントローラ１００が、オートセットを開始して、製函機を停止させ、使用していた印刷ユニットの昇降ユニットを上昇させることで胴抜きにより版胴２３を圧胴２４から離隔させる。この結果、印刷ユニット２０ａ〜２０ｄのすべてが胴抜き状態となり、印刷ユニット２０ａ〜２０ｄのうち次オーダーで使用する印刷ユニット２０に対してオペレータの手作業を加えながら印版交換を実施することができる。次オーダーでどの印刷ユニット２０を使用するかはオーダー情報から得られる。
【００４７】
図２，図３に示すように、段ボールシート１０ａの走行軌道１０ｒの上方には、ステップ７２を通じてアクセス可能な作業フロア７３が設けられ、オペレータはこの作業フロア７３に乗って印版交換を行なう。この印版交換を行なうために、図４に示すように、種々の操作ボタン（ボタン型の操作スイッチ）８１〜８６が装備される。この例ではオペレータが作業フロア７３上に立って印版交換を行なう方式になっており、各操作ボタン８１〜８６は、作業フロア７３上に立ったオペレータの手元に位置するように配置されている。印版交換を行なう方式によっては、各操作ボタン８１〜８６をオペレータの足元に配置するものもある。
【００４８】
操作ボタン８１は版胴２３を微少量ずつ正回転させる正転ボタンであり、操作ボタン８２は版胴２３を微少量ずつ逆回転させる逆転ボタンであり、操作ボタン８３は版胴２３を非常停止させる非常停止ボタンであり、操作ボタン８４は版胴２３を１回転だけ正回転させる１周自動回転正転ボタンであり、操作ボタン８５は版胴２３の端部を締め付け固定する締付ボタン（締付スイッチ）である。そして、操作ボタン８６は印版交換の完了後にオペレータがオン操作する印版交換実施済みボタン（版印版交換実施済みスイッチ）であり、本印刷部２の各印刷ユニット２０に特有のものである。
【００４９】
図１に示すように、各印刷ユニット２０ａ〜２０ｄの印版交換実施済みボタン８６ａ〜８６ｄ（各印刷ユニット２０ａ〜２０ｄで印版交換実施済みボタン８６を区別する場合は符号８６にサフィックスａ〜ｄを付す）はコントローラ１００に接続され、何れかの印版交換実施済みボタン８６がオン操作されると、コントローラ１００にその旨のオン信号が入力される。コントローラ１００は、このオン信号に基づいてオン操作された印刷ユニット２０が印版交換実施済みであることを表示手段に表示する。
【００５０】
また、コントローラ１００は、各オートセット機構１１１〜１１６によるセットの完了を判定すると共に、次オーダーの印版交換対象の印刷ユニット２０の印版交換実施済みボタン８６がオン操作されたこと（オン信号が入力されたこと）を判定し、次オーダーで使用する印刷ユニット２０の昇降ユニット２０Ｍを下降させて、加工装置（各加工部１〜６）を始動する。
【００５１】
表示手段としては、ここでは、図１，図５に示すように、各印刷ユニット２０ａ〜２０ｄのフレームの上部に立設された回転灯８７ａ〜８７ｄ（それぞれを区別しない場合は符号８７で示す）と、給紙部１に設けられたオペレータパネル１２０の第１モニター（モニターディスプレイ）１２１及びカウンタエジェクタ部６に設けられた図示しないオペレータパネルの第２モニター１３１とに表示するようになっている。
【００５２】
各印刷ユニット２０ａ〜２０ｄの回転灯８７ａ〜８７ｄによる表示は、ライトを点灯し回転させることで行なうため視認性が高い利点があるが、これに替えて回転しないライトを表示灯（表示手段）として用いてもよい。モニターディスプレイ１２１による表示は、例えば図６に示すように、模式表示した各印刷ユニット１２２ａ〜１２２ｄの近傍にそれぞれ表示したランプマークを点灯表示（点灯マーク）にさせることで行なう。
【００５３】
コントローラ１００は、モニター１２１，１３１に次オーダーの情報、特に、印刷ユニット２０ａ〜２０ｄのうちのどれを印版交換するか及び次オーダーにはどの印版を用いるかを表示する。オペレータはこのモニター１２１，１３１の表示情報を見て印版交換を実施する。また、予め入力されたオーダーに対してオーダー割り込みがあったら、割り込みされたオーダーに対応してオートセット処理を実施し、また、モニター１２１，１３１にオーダー割り込みがあった旨（例えば図６に示すように、「割り込みオーダーが発生したので○ユニットはキャンセルしました。印版を掛け替えてください」等のメッセージ）を表示すると共に、割り込みされたオーダーの情報を表示する。したがって、オペレータはこのモニター１２１，１３１の表示情報を見て、割り込みされたオーダーに対応して印版交換を実施することができる。
【００５４】
〔２．作用及び効果〕
本実施形態にかかる製函機は上述のように構成されているので、オーダーチェンジの際のセット処理及びこれに伴ってオペレータの手動操作を伴って行なう印版交換は以下のようにして行なうことができる。以下、印版交換及びセット処理の手順を説明しながらその作用及び効果を説明する。
【００５５】
〔２−１．印版交換〕
まず、印版交換について説明する。印版交換は、対象の印刷ユニット２０の昇降ユニット２０Ｍが上昇している状態で行なわれる。
【００５６】
図７に示すように、オペレータは、まず、前オーダーの生産に使用していた印版（旧印版）を取り外す（ステップＡ１０）。この際、印版の締め付けを解除し、旧印版の咥え尻側を版胴２３の係止溝から外して、１周自動回転正転ボタン８４或いは正転ボタン８１を操作して、旧印版を版胴２３の外周から離脱させ、最後に、旧印版の咥え側を版胴２３の係止溝から外す。
【００５７】
次に、新印版の先端の咥え側を版胴２３の係止溝に係止（仮止め）する（ステップＡ２０）。
次に、１周自動回転正転ボタン８４を操作して、新印版を版胴２３の外周に巻き付ける（ステップＡ３０）。１周自動回転正転ボタン８４の操作後、必要に応じて正転ボタン８１や逆転ボタン８２を操作して（ステップＡ４０）、版胴２３の回転位相を調整し、その後、新印版の後端の咥え尻側を版胴２３の係止溝に係止（仮止め）して、締付ボタン８５を操作して新印版の咥え側及び咥え尻側を完全係止（固定）する（ステップＡ５０）。
【００５８】
〔２−２．遊休印刷ユニットを次オーダーで使用する場合のセット処理〕
次に、現オーダーで使用していない遊休印刷ユニットを次オーダーで使用する場合のセット処理を説明する。
図８に示すように、まず、上述のようにしてオペレータが印版交換を実施する（ステップＢ１０）。この印版交換は、オーダーチェンジに先立って、現オーダーの生産中に実施する。本製函機は、印刷部２において、搬送コンベア７０によって段ボールシート１０ａを搬送するため、版胴２３や圧胴２４を段ボールシート１０ａの搬送に用いない。このため、遊休状態の印刷ユニット２０の版胴２３を圧胴２４から離隔させており、遊休印刷ユニットでは印版交換を行なうことができる。
【００５９】
印版交換を完了したら、オペレータは、印版交換した印刷ユニット２０の印版交換実施済みボタン８６を押してオン操作する（ステップＢ２０）。これにより、該当する印刷ユニット２０の印版交換実施済みボタン８６のオン信号がコントローラ１００に入力される。コントローラ１００では、オン信号の入力状態から、印刷ユニット２０ａ〜２０ｄのどの印刷ユニット２０で印版交換を実施したかを把握することができる。
【００６０】
コントローラ１００は、現オーダーの終了を判定すると（ステップＢ３０）、現オーダーで使用していた印刷ユニット２０の各昇降ユニット２０Ｍを上昇させて胴抜きをし（ステップＢ４０）、製函機を停止する。
次に、コントローラ１００は、オートセットを実施する（ステップＢ５０）。つまり、コントローラ１００は、生産管理装置２００から入手した次オーダーの情報に基づいて、オートセット機構１１１〜１１６を制御して、各加工部の設定変更を実施する。
【００６１】
コントローラ１００は、かかるオートセットが完了し、且つ、次オーダーで使用する印刷ユニット（対象印刷ユニット）２０の印版交換実施済みボタン８６がオン操作されたか否かを判定する（ステップＢ６０）。コントローラ１００は、オートセットが完了し且つ対象印刷ユニット２０の印版交換実施済みボタン８６がオン操作されていると判定したら、対象印刷ユニット２０の昇降ユニット２０Ｍを降下させて胴入れをする（ステップＢ７０）。
【００６２】
これにより、印刷部２のセットが完了する。全ての加工部１〜６のセットが完了するため、コントローラ１００は、次オーダーのために製函機を始動させる。
したがって、例えば、図２，図３に示すように、次オーダーでは遊休印刷ユニット２０ａ，２０ｄのみを使用する場合など、遊休印刷ユニットのみで次オーダーで使用する印刷ユニット２０を賄うことができれば、オートセットが完了したら直ぐに使用する印刷ユニット２０の昇降ユニット２０Ｍを降下させて胴入れをし、速やかに次オーダーの生産を開始することができる。
【００６３】
また、印版交換時に使用する操作スイッチ類８１〜８５の近傍に印版交換実施済みボタン８６を配置しているので、印版交換を完了したら速やかに印版交換実施済みボタン８６を押してオン操作することができるため、印版交換実施済みボタン８６の操作に手間取ることもなく、また、印版交換実施済みボタン８６の操作を忘れるおそれも低下する。この点からも、セットに要する時間を短縮でき、また、セットにかかるオペレータの負担を軽減することができる。
【００６４】
〔２−３．印刷ユニットを次オーダーで連続使用する場合のセット処理〕
次に、現オーダーで使用中の印刷ユニットを次オーダーでも連続して使用する場合のセット処理を説明する。
図９に示すように、この場合、コントローラ１００は、オーダーチェンジのタイミングになると、まず、使用していた印刷ユニット２０の昇降ユニット２０Ｍを全て上昇させて胴抜きをする（ステップＣ５）。これにより、全ての印刷ユニット２０の昇降ユニット２０Ｍは上昇した状態となる。
【００６５】
次に、コントローラ１００は、オートセットを実施する（ステップＣ１０）。つまり、コントローラ１００は、生産管理装置２００から入手した次オーダーの情報に基づいて、オートセット機構１１１〜１１６を制御して、各加工部の設定変更を実施する。また、このオートセットと平行して、オペレータは前述のようにして印版交換を実施する（ステップＣ２０）。
【００６６】
オペレータは、印版交換を完了したら、印版交換した印刷ユニット２０の印版交換実施済みボタン８６を押してオン操作する（ステップＣ３０）。これにより、該当する印刷ユニット２０の印版交換実施済みボタン８６のオン信号がコントローラ１００に入力される。コントローラ１００では、オン信号の入力状態からどの印刷ユニット２０で印版交換を実施したかを把握することができる。
【００６７】
コントローラ１００は、かかるオートセットが完了し、且つ、次オーダーで使用する印刷ユニット（対象印刷ユニット）２０の印版交換実施済みボタン８６がオン操作されたか否かを判定する（ステップＣ４０）。オートセットが完了し且つ（対象印刷ユニット２０の全てで印版交換実施済みボタン８６がオン操作されていると判定されたら、全ての対象印刷ユニット２０の昇降ユニット２０Ｍを降下させて胴入れをする（ステップＣ５０）。
【００６８】
これにより、印刷部２のセットが完了し、全ての加工部１〜６のセットが完了するため、コントローラ１００は、次オーダーのために製函機を始動させる。
現オーダーで使用中の印刷ユニットを次オーダーでも連続して使用する場合、オーダーチェンジの開始後、印版交換をする印刷ユニット２０の昇降ユニット２０Ｍが上昇するのを待って、（ステップＣ５）から印版交換を実施するため、遊休印刷ユニットのみで次オーダーで使用する印刷ユニット２０を賄うことができる場合のようにはセットに要する時間を短縮できないが、印版交換時に使用する操作スイッチ類８１〜８５の近傍に印版交換実施済みボタン８６を配置しているので、印版交換を完了したら速やかに印版交換実施済みボタン８６を押してオン操作することができ、これによる効果は得られる。
【００６９】
つまり、オートセットが完了して、コントローラ１００は、対象印刷ユニット２０の昇降ユニット２０Ｍを降下させる条件である印版交換実施済みボタン８６のオン操作を待っている状況では、印版交換実施済みボタン８６のオン操作と共に、対象印刷ユニット２０の昇降ユニット２０Ｍを降下させることができ、印版交換の完了から印版交換実施済みボタン８６までの時間短縮分だけ、対象の昇降ユニット２０Ｍの降下タイミングを早めることができ、この分だけセットに要する時間を短縮することができる。
もちろん、オン操作印版交換実施済みボタン８６の操作に手間取ることがなく、また、印版交換実施済みボタン８６の操作を忘れるおそれも低下するので、セットにかかるオペレータの負担を軽減することができる効果も得られる。
【００７０】
また、次オーダーでは３つの印刷ユニット２０を必要とするため、遊休印刷ユニット２０ａ，２０ｄ、及び、使用していた印刷ユニット２０ｂの３つを使用する場合、前オーダー中に、遊休印刷ユニットにおいて印版交換を実施しておけば、オーダーチェンジを開始してから、印版交換を実施するのは使用していた印刷ユニット２０ｂだけで良いため、この分だけ印版交換に要する時間を短縮することができ、セットに要する時間短縮に寄与する。
【００７１】
〔２−４．複数の遊休印刷ユニットを次オーダー及び次々オーダーで使用する場合のセット処理〕
次に、現オーダーで使用していない遊休印刷ユニットを次オーダー及び次々オーダーで使用する場合のセット処理を説明する。
ここでは、印刷部２の４つの印刷ユニット２０ａ〜２０ｄをこの順に第１，第２，第３，第４の印刷ユニットと呼び、また、現オーダーを第１オーダー、現オーダーに続く次オーダーを第２オーダー、次オーダーに続く次々オーダーを第３オーダーと呼んで説明する。
【００７２】
例えば、第１オーダーにおいて、第１印刷ユニット２０ａ及び第２印刷ユニット２０ｂを使用していて、第２オーダーでは第３印刷ユニット２０ｃを使用し、第３オーダーでは第４印刷ユニット２０ｄを使用するものとする。この場合、第１オーダーの生産を実施しているときには、第３及び第４印刷ユニット２０ｃ，２０ｄは遊休印刷ユニットであり印版交換を実施可能である。
【００７３】
そこで、図１０に示すように、第１オーダーの生産の実施中に、オペレータは、第３印刷ユニット２０ｃで第２オーダーに対応した印版交換を実施し、第４印刷ユニット２０ｄで第３オーダーに対応した印版交換を実施し（ステップＤ１０）、さらに、各印版交換実施済みボタン８６をオン操作する（ステップＤ２０）。
【００７４】
図１０では、第３，第４印刷ユニット２０ｃ，２０ｄの印版交換を実施してから印版交換実施済みボタン８６をオン操作する構成を記載するが、第３印刷ユニット２０ｃにおいて、第２オーダーに対応した印版交換を実施してからその印版交換実施済みボタン８６をオン操作し、次いで或いはこれに先立って、第４印刷ユニット２０ｄにおいて、第３オーダーに対応した印版交換を実施してからその印版交換実施済みボタン８６をオン操作するようにしても良い。
【００７５】
これにより、第２，第３オーダーにかかる印刷ユニット２０ｃ，２０ｄの印版交換実施済みボタン８６のオン信号がコントローラ１００に入力される。コントローラ１００では、オン信号の入力状態から、印刷ユニット２０ａ〜２０ｄのどの印刷ユニット２０で印版交換を実施したかを把握することができる。
【００７６】
コントローラ１００では、第１オーダーの終了を判定すると（ステップＤ３０）、コントローラ１００が、第１オーダーで使用していた印刷ユニット２０ａ，２０ｂの各昇降ユニット２０Ｍを上昇させて胴抜きをし（ステップＤ４０）、製函機を停止する。
次に、第２オーダーのオートセットを実施する（ステップＤ５０）。つまり、コントローラ１００は、生産管理装置２００から入手した第２オーダーの情報に基づいて、オートセット機構１１１〜１１６を制御して、各加工部の設定変更を実施する。
【００７７】
コントローラ１００は、第２オーダーにかかるオートセットが完了し、且つ、第２オーダーで使用する印刷ユニット２０ｃの印版交換実施済みボタン８６がオン操作されたか否かを判定する（ステップＤ６０）。オートセットが完了し且つ対象印刷ユニット２０ｃの印版交換実施済みボタン８６がオン操作されていると判定されたら、第２オーダーで使用する印刷ユニット２０ｃの昇降ユニット２０Ｍを降下させて胴入れをする（ステップＤ７０）。
これにより、印刷部２のセットが完了し、コントローラ１００が製函機を始動して、第２オーダーを実施する（ステップＤ８０）。
【００７８】
コントローラ１００では、第２オーダーの終了を判定すると（ステップＤ９０）、コントローラ１００が、第２オーダーで使用していた印刷ユニット２０ｃの各昇降ユニット２０Ｍを上昇させて胴抜きをし（ステップＤ１００）,製函機を停止する。
次に、第３オーダーのオートセットを実施する（ステップＤ１１０）。つまり、コントローラ１００は、生産管理装置２００から入手した第３オーダーの情報に基づいて、オートセット機構１１１〜１１６を制御して、各加工部の設定変更を実施する。
【００７９】
コントローラ１００は、第３オーダーにかかるオートセットが完了し、且つ、第３オーダーで使用する印刷ユニット２０ｄの印版交換実施済みボタン８６がオン操作されたか否かを判定する（ステップＤ１２０）。オートセットが完了し且つ対象印刷ユニット２０ｄの印版交換実施済みボタン８６がオン操作されていると判定されたら、第３オーダーで使用する印刷ユニット２０ｄの昇降ユニット２０Ｍを降下させて胴入れをする（ステップＤ１３０）。
これにより、印刷部２のセットが完了し、コントローラ１００が製函機を始動させ、第３オーダーを実施する（ステップＤ１４０）。
【００８０】
したがって、第１オーダーから第２オーダーへのオーダーチェンジの際には、第２オーダーのオートセットが完了したら直ぐに第２オーダーで使用する印刷ユニット２０ｃの昇降ユニット２０Ｍを降下させて、速やかに第２オーダーの生産を開始することができる。また、その後の第２オーダーから第３オーダーへのオーダーチェンジの際にも、第３オーダーのオートセットが完了したら直ぐに第３オーダーで使用する印刷ユニット２０ｄの昇降ユニット２０Ｍを降下させて、速やかに第３オーダーの生産を開始することができる。
【００８１】
このように、第１オーダー（現オーダー）の生産中に、第２オーダー（次オーダー）のみならず第３オーダー（次々オーダー）のための印版交換をも実施しておくことで、例えば、第２オーダーの生産ロット数が少なく、第２オーダーの生産中に第３オーダーのために第４印刷ユニット２０ｄの印版交換を実施する時間的余裕がない場合であっても、第２オーダーから第３オーダーへのオーダーチェンジの際に、速やかに第３オーダーの生産を開始することができる。
【００８２】
このように、印刷ユニット２０の割り当て状況によっては、第１オーダー（現オーダー）に続く第２オーダー（次オーダー）のための印版交換及びスイッチ操作に加えて、第２オーダー（次オーダー）以降のオーダーのための印版交換及びスイッチ操作を実施することができる。この場合、第２オーダー以降のオーダーとは、第３オーダー（次々オーダー）のみならず、第３オーダーに続く第４オーダーなど、更に後に続くオーダーをも含めることができる。
【００８３】
例えば、第１オーダーにおいて、第１印刷ユニット２０ａを使用していて、第２オーダーでは第２印刷ユニット２０ｂを使用し、第３オーダーでは第３印刷ユニット２０ｃを使用し、第３オーダーの次の第４オーダーでは第４印刷ユニット２０ｄを使用するものとした場合、第１オーダーの生産中に、遊休印刷ユニットである第２，第３，第４印刷ユニット２０ｂ，２０ｃ，２０ｄにおいて、それぞれ、第２オーダー，第３オーダー，第４オーダーのための印版交換を実施することもできる。
【００８４】
〔３．その他〕
以上、本発明の実施形態を説明したが、本発明はかかる実施形態に限定されるものではなく、本発明の趣旨を逸脱しない範囲でかかる実施形態の一部を用いたり、一部を変更したりして実施することができる。
【００８５】
例えば、上記実施形態では、印版交換実施済みスイッチ８６と、表示手段８７，１２１，１３１と、オートセットの完了と印版交換実施済みスイッチ８６のオン操作とを条件（アンド条件）として、次オーダーのために装置を始動する制御装置１００と、を全て備えているが、単に、印版交換実施済みスイッチ８６のみを備えても、印版交換実施済みスイッチ８６の操作信号を種々の処理に利用しうる効果が得られる。また、印版交換実施済みスイッチ８６及び何らかの表示手段のみを備えても良く、オペレータの利便性が向上する効果やセット時間を短縮しうる効果が得られる。
【００８６】
また、上記実施形態では、印版交換実施済みスイッチ８６を単独で設けているが、例えば、版胴２３に印版を締付する締付スイッチ８５を印版交換実施済みスイッチと兼用させることもできる。つまり、締付スイッチ８５の締付操作の終了によって印版交換が完了するので、締付スイッチ８５の締付操作の終了操作を印版交換実施済みスイッチのオン操作とすることができ、これにより、印版交換実施済みスイッチ８６の増設が不要になり、また、オペレータの印版交換実施済みスイッチ８６のオン操作も不要になり、コスト低減と、オペレータの利便性の向上やセット時間の短縮等の効果を促進することができる。
【産業上の利用可能性】
【００８７】
本発明は、組み立てるだけの製函用シート材を製造する製函機や、ダイカット部４で処理した段階の印刷及び溝切りや罫線入れをされたが折り曲げ加工や接着は行われない段ボールシートを製造する機械など、段ボールシートに印刷を含む加工をする装置に広く適用することができる。
【符号の説明】
【００８８】
１  給紙部
２  印刷部
３  排紙部
４  ダイカット部
５  フォルダグルア部
６  カウンタエジェクタ部
１０  製函用シート材（段ボール箱用ブランク）
１０ａ  段ボールシート
１０Ｇ  シート材群
１０ｒ  段ボールシート１０ａの走行軌道
２０，２０ａ〜２０ｄ  印刷ユニット
２０Ｍ  昇降ユニット
２１  インキチャンバ
２２  アニロックスロール
２３  版胴（印刷シリンダ）
２４  圧胴
２５ａ〜２５ｄ  ガイドロール
２６  サクションボックス
７０  搬送コンベア
７１  搬送ベルト
７２  ステップ
７３  作業フロア
８１  正転ボタン（操作ボタン、操作スイッチ）
８２  逆転ボタン（操作ボタン、操作スイッチ）
８３  非常停止ボタン（操作ボタン、操作スイッチ）
８４  １周自動回転正転ボタン（操作ボタン、操作スイッチ）
８５  締付ボタン（操作ボタン、操作スイッチ）
８６，８６ａ〜８６ｄ  印版交換実施済みボタン（操作ボタン、版印版交換実施済みスイッチ）
８７，８７ａ〜８７ｄ  表示手段（表示灯）としての回転灯
１００  コントローラ（制御装置）
１１１〜１１６  オートセット機構
１２０  オペレータパネル
１２１  表示手段としての第１モニター（モニターディスプレイ）
１３１  表示手段としての第２モニター（モニターディスプレイ）
２００  生産管理装置
【図１】
2015217535.tif 000003
【図２】
2015217535.tif 000004
【図３】
2015217535.tif 000005
【図４】
2015217535.tif 000006
【図５】
2015217535.tif 000007
【図６】
2015217535.tif 000008
【図７】
2015217535.tif 000009
【図８】
2015217535.tif 000010
【図９】
2015217535.tif 000011
【図１０】
2015217535.tif 000012